(57)【要約】【課題】  現場での施工時間を短縮できると共に、土圧に対して十分に耐え得る強度を有し、かつ歩行者等にも安全な支柱設置用成形型枠とする。【解決手段】  上下方向に多段に連結される複数の角筒形枠部材１と、最上部の角筒形枠部材１０と、最上部の角筒形枠部材１０の上部に連結される上部増し枠部材２と、上部増し枠部材２の上部を覆う蓋部材３を備える。角筒形枠部材１の上部及び下部の開口端部に外方へ屈曲した接合リブ１１を形成する。最上部の角筒形枠部材１０の上部の開口端部の接合リブ１１は内方へ屈曲し、下部の開口端部の接合リブ１１は外方へ屈曲する。上部増し枠部材２の下部の開口端部に最上部の角筒形枠部材１０の上部の開口端部の接合リブ１１に接合する内方に屈曲する接合リブ２１を形成すると共に、上部の開口端部に外方へ屈曲する接合リブ２１を形成する。上部増し枠部材２及び蓋部材３はコンクリート構築物の硬化後に取り除かれ、角筒形枠部材１及び最上部の角筒形枠部材１０は埋め殺される。【選択図】  図１
2006009451.tif 000002
【特許請求の範囲】
【請求項１】
上下方向に多段に連結される複数の角筒形枠部材と、最上部の角筒形枠部材と、最上部の角筒形枠部材の上部に連結される上部増し枠部材と、上部増し枠部材の上部を覆う蓋部材を備え、
前記角筒形枠部材は、上部及び下部の開口端部に外方へ屈曲した接合リブが形成され、最上部の角筒形枠部材は、上部の開口端部の接合リブが内方へ屈曲されると共に、下部の開口端部の接合リブは外方へ屈曲され、前記上部増し枠部材は、下部の開口端部に前記最上部の角筒形枠部材の上部の開口端部の接合リブに接合する内方に屈曲する接合リブが形成されると共に、上部の開口端部に外方へ屈曲する接合リブが形成され、上部増し枠部材及び蓋部材はコンクリート構築物の硬化後に取り除かれ、角筒形枠部材及び最上部の角筒形枠部材は埋め殺されることを特徴とする支柱設置用成形型枠。
【請求項２】
角筒形枠部材、最上部の角筒形枠部材及び上部増し枠部材のコーナー部に、接合リブ
に連結金具が設けられ、上下に接合する連結金具がボルト及びナットで固定されることを特徴とする請求項１記載の支柱設置用成形型枠。
【請求項３】
上下に接合する接合リブの任意箇所がクリップで固定されることを特徴とする請求項１又は２記載の支柱設置用成形型枠。
【発明の詳細な説明】
【技術分野】
【０００１】
本発明は、信号機、標識、街灯等の各種支柱を立設するための基礎コンクリートの成形型枠に関するものである。
【背景技術】
【０００２】
従来、信号等の支柱を立設するには、穴を掘削した後、型枠の組み立て、コンクリート打設・養生・脱型枠という作業工程を経ているため、施工に時間が長くかかり、この間の掘削状態のままの開口部や型枠の開口部をそのままに存置すると、歩行者等に対する安全性に問題点を有していたのである。
【０００３】
この問題を解決するため、型枠の製作組立、脱型を一切必要とせずに簡単に施工し、施工時間を短縮させたものとして、特開昭４９ー３７４０８号の支柱コンクリートブロック工法が既に提案されている。
しかし、この工法に使用される型枠では、型枠を設置後、その日に支柱を立てコンクリート打設を行わなければならず、後日に延期することは歩行者等に対する安全性の点で問題が残り、大規模な施工では施工手順を現地の状況に応じて対応できない問題点を有している。
【０００４】
又、地中の穴や型枠の開口部を塞ぐものとして、実用新案登録第３０４０４０８号の支柱埋設孔形成用治具が既に提案されている。
しかし、この治具は、埋め残される下部角型枠部材は一個の筒形の部材であるため、穴が深くなればなる程、埋め戻し後の側面土圧に対しての強度が弱くなる問題点を残している。
【特許文献１】特開昭４９ー３７４０８号
【特許文献２】実用新案登録第３０４０４０８号
【発明の開示】
【発明が解決しようとする課題】
【０００５】
上記点より、本発明は現場での施工時間を短縮できると共に、土圧に対して十分に耐え得る強度を有し、かつ歩行者等にも安全な支柱設置用成形型枠を提供しようとするものである。
【課題を解決するための手段】
【０００６】
上記課題を解決するため、請求項１記載の本発明支柱設置用成形型枠は、上下方向に多段に連結される複数の角筒形枠部材と、最上部の角筒形枠部材と、最上部の角筒形枠部材の上部に連結される上部増し枠部材と、上部増し枠部材の上部を覆う蓋部材を備え、
前記角筒形枠部材は、上部及び下部の開口端部に外方へ屈曲した接合リブが形成され、最上部の角筒形枠部材は、上部の開口端部の接合リブが内方へ屈曲されると共に、下部の開口端部の接合リブは外方へ屈曲され、前記上部増し枠部材は、下部の開口端部に前記最上部の角筒形枠部材の上部の開口端部の接合リブに接合する内方に屈曲する接合リブが形成されると共に、上部の開口端部に外方へ屈曲する接合リブが形成され、上部増し枠部材及び蓋部材はコンクリート構築物の硬化後に取り除かれ、角筒形枠部材及び最上部の角筒形枠部材は埋め殺されることを特徴とするものである。
【０００７】
このような構成とすることにより、角筒形枠部材及び最上部の角筒形枠部材を設置した後、内部に即日コンクリート打設ができなくても、最上部の角筒形枠部材の上部に上部増し枠部材を連結し、蓋部材で上部増し枠部材の開口部を塞いでおけば、穴の埋め戻しと舗装が可能であるため路面の即時復旧ができ、その後に角筒形枠部材及び最上部の角筒形枠部材の内部へのコンクリート打設や支柱の設置が可能となり、施工手順のバリエーションが現地の状況に応じて選択できる。
又、コンクリート打設までの間、及び養生期間中は穴は埋め戻しと舗装で塞がれ、上部増し枠部材の開口部は蓋部材で塞がれるので、歩行者等に対する安全が確保される。
【０００８】
角筒形枠部材は上下方向に単体のものを多段に連結するため、仕上げ寸法（高さ）に対して柔軟に対応が可能である。
又、埋め殺される角筒形枠部材及び最上部の角筒形枠部材は開口端部に接合リブが形成され、上下に隣接する接合部は二重の梁の機能を有し、曲げ強度を高めるため埋め戻し後の側面土圧に十分に耐え得る強度が得られる。
又、角筒形枠部材及び最上部の角筒形枠部材は埋め殺されるため、脱型枠の必要がなく、施工時間が短縮される。
【０００９】
最上部の角筒形枠部材は、上部の開口端部の接合リブが内方へ屈曲され、上部増し枠部材の内方へ屈曲した下部の開口端部に設けた接合リブに接合するため、外側に突出した箇所がなく、したがって、上部増し枠部材を引き抜き取り除く際に、引っ掛かりがなく、支柱設置後においても、その周辺の舗装の取り壊しや掘削をせずに、中を路盤材等の充填した後、内側の連結箇所を外すのみで容易に取り外すことができる。
【００１０】
次に、請求項２記載の本発明支柱設置用成形型枠は、請求項１記載の支柱設置用成形型枠において、角筒形枠部材、最上部の角筒形枠部材及び上部増し枠部材のコーナー部に、接合リブに連結金具が設けられ、上下に接合する連結金具がボルト及びナットで固定されることを特徴とするものである。
【００１１】
このような構成とすることにより、各部材のコーナー部が強固に連結され、強度が増大する。
【００１２】
次に、請求項３記載の本発明支柱設置用成形型枠は、請求項１又は２記載の支柱設置用成形型枠において、上下に接合する接合リブの任意箇所がクリップで固定されることを特徴とするものである。
【００１３】
このような構成とすることにより、各部材は連結が強固となり、一体性が増大する。
【発明の効果】
【００１４】
本発明支柱設置用成形型枠によれば、上部増し枠部材と蓋部材が設けられているので、即日コンクリート打設ができなくても、埋め戻し、舗装が可能であるため、路面の即時復旧ができ、その後に内部のコンクリート打設や柱の設置が可能であり、施工手順のバリエーションが現地の状況に応じて選択でき、交通繁雑な道路や歩行者の多い道路においても安全性が確保される効果を有する。
【００１５】
角筒形枠部材は上下方向に単体のものを多段に連結できるので、仕上げ寸法（高さ）に対して柔軟に対応が可能で、単体で仕上げ寸法のものをその都度製作するものに比べ強度もあり、効率的で作業性も良い効果を有する。
【００１６】
又、埋め殺される角筒形枠部材及び最上部の角筒形枠部材は、上下に隣接する接合部は接合リブが二重の梁の機能をし、曲げ強度を高めるため、埋め戻し後の側面土圧に十分に耐え得る強度が得られ、内部空洞のまま埋め戻しが可能となる効果を有する。
【００１７】
型枠は工場製作によるため、通常の屋外の現場で行うものと違い、アンカーボルト、電線管等の付属物の取り付けが堅固で正確にできると共に、現場での施工時間の短縮、安全性の向上に寄与する効果を有する。
【００１８】
上部増し枠部材は、その下部の開口端部に設けた接合リブが内方へ屈曲され、最上部の角筒形枠部材の上部の開口端部の内方へ屈曲された接合リブに接合するため、外側に突出した箇所がなく、したがって、上部増し枠部材を引き抜き取り除く際に、引っ掛かりがなく、支柱設置後においても、その周辺の舗装を取り壊し、掘削をせずに中を路盤材等の充填した後、接合部のクリップやボルトを外すのみで容易に抜き上げ取り外す事ができ、スピーディーで小規模な施工により、周辺住民並びに歩行者の通行障害に対する影響が少ないという効果を有する。
【００１９】
角筒形枠部材、最上部の角筒形枠部材及び上部増し枠部材のコーナー部に、接合リブに連結金具が設けられ、上下に接合する連結金具がボルト及びナットで固定されていることにより、各部材のコーナー部が強固に連結され強度が増大すると共に、上下に接合する接合リブの任意箇所がクリップで固定されていることにより、各部材は連結が強固となり一体性が増大するため、埋め戻し後の側面土圧に十分に耐える強度となる効果を有する。
【発明を実施するための最良の形態】
【００２０】
以下、本発明の一実施の形態を添付図面を参照して説明する。
図１は本発明支柱設置用成形型枠の一実施の形態を示す分解斜視図、図２は同上の使用状態を示す断面図である。
本発明支柱設置用成形型枠は鋼製亜鉛メッキ鉄板で、図２に示すように、掘削した地中の穴Ａ内の底部に設けた基礎石Ｂ上に、複数の角筒形枠部材１と、最上部の角筒形枠部材１０と、上部増し枠部材２と、蓋部材３が上下方向に配設される。
【００２１】
角筒形枠部材１は方形で、開口端部に外方へ９０°屈曲した接合リブ１１が外角部を除いて形成されている。
接合リブ１１の外周縁１１ａは上部開口端部側は下方に向け屈曲し、下部開口端部側は上方に向け屈曲している。
【００２２】
又、角筒形枠部材１の接合リブ１１の各コーナー部に略Ｌ字形の連結金具４が取り付けられ、この連結金具４の角部にボルト挿通孔４ａが穿設されている。
連結金具４の両方の片４ｂ，４ｂは接合リブ１１の幅よりもやや狭く形成され、接合リブ１１への取り付けは角筒形枠部材１の外角部に連結金具４の内角部を当接して上部開口端部側は接合リブ１１の下面に、又下部開口端部側は接合リブ１１の上面に当着し、連結金具４の片４ｂと対応する箇所の接合リブ１１の外周縁１１ａをハンマー等で叩打して片４ｂの縁部上に屈曲し挾持させることにより固定する。
【００２３】
このような構成の角筒形枠部材１を上下に積み重ねて接合リブ１１及び連結金具４同士を重ね合わせ、両連結金具４のボルト挿通孔４ａにボルト５を挿通し、ナット６で締着することで多段に連結される。そして、必要により接合リブ１１の接合部の中央部付近をクリップ７で固定する。
【００２４】
角筒形枠部材１の最上部に連結される角筒形枠部材１０は、上部開口端部の接合リブ１１は内角部を除いて内方へ９０°屈曲され、下部開口端部の接合リブ１１は外方へ９０°屈曲されている。そして、下部開口端部の接合リブ１１の各コーナー部に前同様の連結金具４が取り付けられ、隣接する下段の角筒形枠部材１の上部の連結金具４とボルト５及びナット６で連結固定される。
又、上部開口端部の接合リブ１１にも、各コーナー部に連結金具４が角筒形枠部材１０の内角部に連結金具４の外角部を当接して接合リブ１１の下面に当着し、前同様に連結金具４の片４ｂと対応する箇所の接合リブ１１の外周縁１１ａをハンマー等で叩打して片４ｂの縁部上に屈曲し挾持させることにより固定する。最上部の角筒形枠部材１０は角筒形枠部材１と共に土中に埋め殺される。
【００２５】
上部増し枠部材２は最上部の角筒形枠部材１０の上部に連結され、コンクリート構築物の硬化後に取り除かれるもので、角筒形枠部材１と同様に方形の角筒形状に形成され、上部開口端部に接合リブ１１と同様の外方へ９０°屈曲した接合リブ２１が外角部を除いて形成されている。
又、下部開口端部にも内方へ９０°屈曲した接合リブ２１が内角部を除いて形成されている。そして、上部及び下部の接合リブ２１の各コーナー部に前同様に連結金具４が前同様の手段で取り付けられている。
【００２６】
上部増し枠部材２と最上部の角筒形枠部材１０の連結は、上部増し枠部材２の下部開口端部の接合リブ２１及び連結金具４と、最上部の角筒形枠部材１０の上部開口端部の接合リブ１１及び連結金具４同士を重ね合わせ、両連結金具４のボルト挿通孔４ａにボルト５を挿通し、ナット６で締着する。
尚、上部増し枠部材２と最上部の角筒形枠部材１０の連結は、上記のようなボルト５及びナット６との固定でもよいが、短時間で支柱等を施工する時は簡易的にクリップ７で固定しておくこともできる。
【００２７】
蓋部材３は上部増し枠部材２の上部を覆う板体で、下面に上部増し枠部材２の内周面に嵌入する方形の枠部３ａが突設され、上部増し枠部材２上に載置される。
上部増し枠部材２の上部の接合リブ２１のコーナー部に設けた連結金具４は補強の機能を有する。
【００２８】
このような構成を有する支柱設置用成形型枠を使用した基礎コンクリートの施工方法を説明する。
歩道と車道の境界付近で歩道側に穴Ａを掘削し、穴Ａの底部を基礎砕石敷均・転圧をした後、基礎石Ｂを置き、基礎石Ｂ上に穴Ａの仕上げ寸法（高さ）に応じて上下方向に積み重ね、連結された角筒形枠部材１及び最上部の角筒形枠部材１０を設置する。
【００２９】
角筒形枠部材１及び最上部の角筒形枠部材１０は予め工場で連結して現場へ搬送しても良く、或いは現場でボルト等の固定部材で連結しても良い。
角筒形枠部材１及び最上部の角筒形枠部材１０を設置した後、角筒形枠部材１及び最上部の角筒形枠部材１０の周囲を埋め戻し、角筒形枠部材１及び最上部の角筒形枠部材１０内にコンクリートを打設する。
次に、最上部の角筒形枠部材１０上に上部増し枠部材２を連結すると共に、上部増し枠部材２上に蓋部材３を施し、路面を即時復旧し、その後、コンクリート養生する。
硬化後、蓋部材３を除き、上部増し枠部材２のボルト等の固定部材を外して上部増し枠部材２を引き抜く。角筒形枠部材１及び最上部の角筒形枠部材１０はそのまま埋め殺す。    
【００３０】
以上、本発明を実施形態に基づき具体的に説明したが、本発明は上記実施形態に何ら限定されるものではなく、連結金具４の接合リブ１１への取り付けは熔着でも良く、本発明の趣旨を逸脱しない範囲内で種々の改良、変形が可能である。
【図面の簡単な説明】
【００３１】
【図１】本発明支柱設置用成形型枠の一実施の形態を示す分解斜視図である。
【図２】本発明支柱設置用成形型枠の使用状態を示す断面図である。
【符号の説明】
【００３２】
Ａ  穴
Ｂ  基礎石
１  角筒形枠部材
２  上部増し枠部材
３  蓋部材
４  連結金具
５  ボルト
６  ナット
７  クリップ
１０  最上部の角筒形枠部材
１１、２１  接合リブ
【図１】
2006009451.tif 000003
【図２】
2006009451.tif 000004